【手続補正書】
【提出日】平成20年1月8日(2008.1.8)
【手続補正１】
【補正対象書類名】特許請求の範囲
【補正対象項目名】全文
【補正方法】変更
【補正の内容】
【特許請求の範囲】
【請求項１】
視覚化される第１のデータ・セットを入力し、
前記データ・セットに基づいて、複数のタイルをグランド面内に定義し、
前記タイルの中の少なくとも一つに対して、該タイルに関連した第１のリンクを定義し、
前記タイルの中の少なくとも一つに対して、該タイルに関連した第２のリンクを定義し、
定義された前記第１のリンク各々が前記グランド面上方に表示され、定義された前記第２のリンク各々が前記グランド面下方に表示される、
三次元視覚化表現を生成する方法。
【請求項２】
定義された前記第１のリンク各々について、該第１のリンクに対する定量化可能な特性の値に基づいて、前記グランド面上方における該第１のリンクの距離を定義することにより、該第１のリンクの定量化可能な特性を示す、
ことをさらに含む、請求項１に記載の三次元視覚化表現を生成する方法。
【請求項３】
前記第１のリンクの定量化可能な特性の値がユーザによって定義される、請求項２に記載の三次元視覚化表現を生成する方法。
【請求項４】
定義された前記第２のリンク各々について、該第２のリンクに対する定量化可能な特性の値に基づいて、前記グランド面下方における該第２のリンクの距離を定義することにより、該第２のリンクの定量化可能な特性を示す、
ことをさらに含む、請求項１に記載の三次元視覚化表現を生成する方法。
【請求項５】
前記第２のリンクの定量化可能な特性の値が、定義されたユーザ・グループによって定義される、請求項４に記載の三次元視覚化表現を生成する方法。
【請求項６】
定義された前記第１のリンクの各々について、該第１のリンクのサイズを定義することにより、該第１のリンクの特性を示す、
ことをさらに含む、請求項１に記載の三次元視覚化表現を生成する方法。
【請求項７】
定義された前記第２のリンクの各々について、該第２のリンクのサイズを定義することにより、該第２のリンクの特性を示す、
ことをさらに含む、請求項１に記載の三次元視覚化表現を生成する方法。
【請求項８】
定義された前記第１のリンクの各々について、該第１のリンクの明るさを定義することにより、該第１のリンクの特性を示す、
ことをさらに含む、請求項１に記載の三次元視覚化表現を生成する方法。
【請求項９】
定義された前記第２のリンクの各々について、該第２のリンクの明るさを定義することにより、該第２のリンクの特性を示す、
ことをさらに含む、請求項１に記載の三次元視覚化表現を生成する方法。
【請求項１０】
定義された前記第１のリンクの各々について、該第１のリンクの色を定義することにより、該第１のリンクの特性を示す、
ことをさらに含む、請求項１に記載の三次元視覚化表現を生成する方法。
【請求項１１】
定義された前記第２のリンクの各々について、該第２のリンクの色を定義することにより、該第２のリンクの特性を示す、
ことをさらに含む、請求項１に記載の三次元視覚化表現を生成する方法。
【請求項１２】
複数の前記第１のリンクは複数のタイルに関連し、
複数の前記タイルの各々は前記第１のリンクを各々有し、
複数の前記第１のリンクを通るパスを定義する、ことをさらに含む、
請求項１に記載の三次元視覚化表現を生成する方法。
【請求項１３】
複数の前記第２のリンクは複数のタイルに関連し、
複数の前記タイルの各々は前記第１のリンクを各々有し、
複数の前記第２のリンクを通るパスを定義する、ことをさらに含む、
請求項１に記載の三次元視覚化表現を生成する方法。
【請求項１４】
第１のリンクまたは第２のリンクを有するタイルの各々について、該第２のリンクの各々が前記グランド面上方に表示され、該第１のリンクの各々が該グランド面下方に表示されるように、該第１のリンク及び第２のリンクを切り替える、
ことをさらに含む、請求項１に記載の三次元視覚化表現を生成する方法。
【請求項１５】
視覚化表現を更新する、ことをさらに含む、請求項１に記載の三次元視覚化表現を生成する方法。
【請求項１６】
視覚化表現を更新することが、
第２のデータ・セットを入力し、
前記第１のデータ・セットと前記第２のデータ・セットとを比較し、
前記第１のデータ・セットと前記第２のデータ・セットとの間の違いを判断し、
異なると判断された部分の視覚化表現のみを更新する、
ことを含む、
請求項１５に記載の三次元視覚化表現を生成する方法。
【請求項１７】
前記第２のデータ・セットは視覚化表現とのインタラクションによって生成される、請求項１６に記載の三次元視覚化表現を生成する方法。
【請求項１８】
前記第１のリンクを定義することが、該第１のリンクの少なくとも一つの属性各々に対する値をユーザが定義すること、を含む、請求項１に記載の三次元視覚化表現を生成する方法。
【請求項１９】
前記第２のリンクを定義することが、
ユーザ・グループを定義し、
前記第１のリンクの少なくとも一つの属性各々に対して、該属性に対する前記ユーザ・
グループによって定義される値を平均化し、
前記第１のリンクの前記少なくとも一つの属性各々に対して、前記第２のリンクの対応する属性に属する前記属性の平均値を割り当てる、
ことを含む、請求項１６に記載の三次元視覚化表現を生成する方法。
【請求項２０】
複数のタイルによって定義されるグランド面であって、各々のタイルが２つの軸に対して位置を定義される、グランド面を表示する表示手段と、
前記タイルの少なくとも一つに対応する少なくとも一つの第１のリンクであって、各々のタイルが一つの第１のリンクを有することができ、各々の第１のリンクが一つのタイルを有することができ、該第１のリンクが対応する該タイルの値によって少なくとも部分的に定義されるメディアにリンクされている、第１のリンクを前記表示手段に表示するように制御する第１の制御手段と、
前記タイルの少なくとも一つに対応する少なくとも一つの第２のリンクであって、各々のタイルが一つの第２のリンクを有することができ、各々の第２のリンクが一つのタイルを有することができ、該第２のリンクが対応する該タイルの値によって少なくとも部分的に定義されるメディアにリンクされている、第２のリンクを前記表示手段に表示するように制御する第２の制御手段と、を備え、
少なくとも一つの第１のリンクがグランド面上方に位置し、
少なくとも一つの第２のリンクがグランド面下方に位置し、
少なくとも一つの第１のリンク及び少なくとも一つの第２のリンクの双方が、グランド面上方、または、グランド面下方から少なくとも部分的に見える、
グラフィカル・ユーザ・インタフェース装置。
【請求項２１】
少なくとも一つの第１のインデックス及び少なくとも一つの第２のインデックスをグランド面上方、またはグランド面下方から見ることを支援するために、各々のタイルの間に所定量の空間がある、請求項２０に記載のグラフィカル・ユーザ・インタフェース装置。
【請求項２２】
前記グラフィカル・ユーザ・インタフェース装置の視点は三次元的に変更可能である、請求項２０に記載のグラフィカル・ユーザ・インタフェース装置。
【請求項２３】
視角を変更できる、請求項２０に記載のグラフィカル・ユーザ・インタフェース装置。
【請求項２４】
前記少なくとも一つの第２のリンクをグランド面上方に、前記少なくとも一つの第１のリンクをグランド面下方に、再配置する転移機能をさらに備える、請求項２０に記載のグラフィカル・ユーザ・インタフェース装置。
【請求項２５】
前記少なくとも一つの第２のリンクをグランド面上方に再配置するスーパーインポーズ機能をさらに備える、請求項２０に記載のグラフィカル・ユーザ・インタフェース装置。
【請求項２６】
表示手段と、
データ・セットに基づいて表示手段に表示されたグランド面内のタイル・レイアウトを決定する、タイル・レイアウト決定手段と、
高さ決定手段と、を備え、
該高さ決定手段は、前記タイル・レイアウトにおける少なくとも一つのタイルに対して第１のリンクを定義し、前記タイル・レイアウトにおける少なくとも一つのタイルに対して第２のリンクを定義し、定義された前記第１のリンク各々に対して、該第１のリンクのグランド面上方の距離を決定し、定義された前記第２のリンク各々に対して、該第２のリンクのグランド面下方の距離を決定する、
三次元視覚化表現を生成するシステム。
【請求項２７】
定義された前記第１のリンク各々に対して、該第１のリンクのサイズを決定する、サイズ決定手段をさらに備える、請求項２６に記載の三次元視覚化表現を生成するシステム。
【請求項２８】
前記サイズ決定手段は、定義された前記第２のリンク各々に対して、該第２のリンクのサイズを決定する、請求項２７に記載の三次元視覚化表現を生成するシステム。
【請求項２９】
定義された前記第１のリンク各々に対して、該第１のリンクの一つの色、または複数の色を決定する色決定手段をさらに備える、請求項２６に記載の三次元視覚化表現を生成するシステム。
【請求項３０】
前記色決定手段は、定義された前記第２のリンク各々に対して、該第２のリンクの一つの色、または複数の色を決定する、請求項２９に記載の三次元視覚化表現を生成するシステム。
【請求項３１】
定義された前記第１のリンク各々に対して、該第１のリンクの明るさを決定する明るさ決定手段をさらに備える、請求項２６に記載の三次元視覚化表現を生成するシステム。
【請求項３２】
前記明るさ決定手段は、定義された前記第２のリンク各々に対して、該第２のリンクの明るさを決定する、請求項３１に記載の三次元視覚化表現を生成するシステム。
【請求項３３】
前記タイルの中からマークされるべきタイルを前記データ・セットに基づいて決定し、マークされるべきタイルをマークする、タイル・マーキング手段をさらに備える、請求項２６に記載の三次元視覚化表現を生成するシステム。
【請求項３４】
複数の定義された第１のリンクを通るパスが定義されているかどうかを前記データ・セットに基づいて決定し、該複数の定義された第１のリンクを通るパスを表示する、パス決定手段をさらに備える、請求項２６に記載の三次元視覚化表現を生成するシステム。
【請求項３５】
前記パス決定手段は、複数の定義された第２のリンクを通るパスが定義されているかどうかを前記データ・セットに基づいて決定し、該複数の定義された第２のリンクを通るパスを表示する、請求項３４に記載の三次元視覚化表現を生成するシステム。
【請求項３６】
複数の定義された第２のリンクを通るパスが定義されているかどうかを前記データ・セットに基づいて決定し、該複数の定義された第２のリンクを通るパスを表示するパス決定手段をさらに備える、請求項２６に記載の三次元視覚化表現を生成するシステム。
【請求項３７】
現行のデータ・セットと新しいデータ・セットとを比較し、
前記新しいデータ・セットと現行のデータ・セットとの間の違いを決定する、
データ・セット比較手段をさらに備える、
請求項２６に記載の三次元視覚化表現を生成するシステム。
【請求項３８】
視覚化されるデータ・セットを入力するステップと、
前記データ・セットに基づいて、グランド面内に複数のタイルを定義するステップと、
前記タイルの少なくとも一つに対して、該タイルに関連する第１のリンクを定義するステップと、
前記タイルの少なくとも一つに対して、該タイルに関連する第２のリンクを定義するステップと、
を、情報処理装置に実行させる、三次元視覚化表現を生成するプログラムであって、
定義された前記第１のリンク各々がグランド面上方に表示され、
定義された前記第２のリンク各々がグランド面下方に表示される、
三次元視覚化表現を生成するプログラム。
【手続補正２】
【補正対象書類名】明細書
【補正対象項目名】００３３
【補正方法】削除
【補正の内容】
【手続補正３】
【補正対象書類名】明細書
【補正対象項目名】００３４
【補正方法】削除
【補正の内容】
【手続補正４】
【補正対象書類名】明細書
【補正対象項目名】００３５
【補正方法】変更
【補正の内容】
【００３５】
本発明の第１２の態様は、第１の態様の三次元視覚化表現を生成する方法であって、複数の前記第１のリンクは複数のタイルに関連し、複数の前記タイルの各々は前記第１のリンクを各々有し、複数の前記第１のリンクを通るパスを定義する、ことをさらに含む。
【手続補正５】
【補正対象書類名】明細書
【補正対象項目名】００３６
【補正方法】変更
【補正の内容】
【００３６】
本発明の第１３の態様は、第１の態様の三次元視覚化表現を生成する方法であって、複数の前記第２のリンクは複数のタイルに関連し、複数の前記タイルの各々は前記第１のリンクを各々有し、複数の前記第２のリンクを通るパスを定義する、ことをさらに含む。
【手続補正６】
【補正対象書類名】明細書
【補正対象項目名】００３７
【補正方法】変更
【補正の内容】
【００３７】
本発明の第１４の態様は、第１の態様の三次元視覚化表現を生成する方法であって、第１のリンクまたは第２のリンクを有するタイルの各々について、該第２のリンクの各々が前記グランド面上方に表示され、該第１のリンクの各々が該グランド面下方に表示されるように、該第１のリンク及び第２のリンクを切り替える、ことをさらに含む。
【手続補正７】
【補正対象書類名】明細書
【補正対象項目名】００３８
【補正方法】削除
【補正の内容】
【手続補正８】
【補正対象書類名】明細書
【補正対象項目名】００３９
【補正方法】変更
【補正の内容】
【００３９】
本発明の第１５の態様は、第１の態様の三次元視覚化表現を生成する方法であって、視覚化表現を更新する、ことをさらに含む。
【手続補正９】
【補正対象書類名】明細書
【補正対象項目名】００４０
【補正方法】変更
【補正の内容】
【００４０】
本発明の第１６の態様は、第１５の態様の三次元視覚化表現を生成する方法であって、視覚化表現を更新することが、第２のデータ・セットを入力し、前記第１のデータ・セットと前記第２のデータ・セットとを比較し、前記第１のデータ・セットと前記第２のデータ・セットとの間の違いを判断し、異なると判断された部分の視覚化表現のみを更新する、ことを含む。
【手続補正１０】
【補正対象書類名】明細書
【補正対象項目名】００４１
【補正方法】変更
【補正の内容】
【００４１】
本発明の第１７の態様は、第１６の態様の三次元視覚化表現を生成する方法であって、前記第２のデータ・セットは視覚化表現とのインタラクションによって生成される。
【手続補正１１】
【補正対象書類名】明細書
【補正対象項目名】００４２
【補正方法】変更
【補正の内容】
【００４２】
本発明の第１８の態様は、第１の態様の三次元視覚化表現を生成する方法であって、前記第１のリンクを定義することが、該第１のリンクの少なくとも一つの属性各々に対する値をユーザが定義すること、を含む。
【手続補正１２】
【補正対象書類名】明細書
【補正対象項目名】００４３
【補正方法】変更
【補正の内容】
【００４３】
本発明の第１９の態様は、第１６の態様の三次元視覚化表現を生成する方法であって、前記第２のリンクを定義することが、ユーザ・グループを定義し、前記第１のリンクの少なくとも一つの属性各々に対して、該属性に対する前記ユーザ・グループによって定義される値を平均化し、前記第１のリンクの前記少なくとも一つの属性各々に対して、前記第２のリンクの対応する属性に属する前記属性の平均値を割り当てる、ことを含む。
【手続補正１３】
【補正対象書類名】明細書
【補正対象項目名】００４４
【補正方法】変更
【補正の内容】
【００４４】
本発明の第２０の態様のグラフィカル・ユーザ・インタフェース装置は、複数のタイルによって定義されるグランド面であって、各々のタイルが２つの軸に対して位置を定義される、グランド面を表示する表示手段と、前記タイルの少なくとも一つに対応する少なくとも一つの第１のリンクであって、各々のタイルが一つの第１のリンクを有することができ、各々の第１のリンクが一つのタイルを有することができ、該第１のリンクが対応する該タイルの値によって少なくとも部分的に定義されるメディアにリンクされている、第１のリンクを前記表示手段に表示するように制御する第１の制御手段と、前記タイルの少なくとも一つに対応する少なくとも一つの第２のリンクであって、各々のタイルが一つの第２のリンクを有することができ、各々の第２のリンクが一つのタイルを有することができ、該第２のリンクが対応する該タイルの値によって少なくとも部分的に定義されるメディアにリンクされている、第２のリンクを前記表示手段に表示するように制御する第２の制御手段と、を備え、少なくとも一つの第１のリンクがグランド面上方に位置し、少なくとも一つの第２のリンクがグランド面下方に位置し、少なくとも一つの第１のリンク及び少なくとも一つの第２のリンクの双方が、グランド面上方、または、グランド面下方から少なくとも部分的に見える。
【手続補正１４】
【補正対象書類名】明細書
【補正対象項目名】００４６
【補正方法】変更
【補正の内容】
【００４６】
本発明の第２１の態様は、第２０の態様のグラフィカル・ユーザ・インタフェース装置であって、少なくとも一つの第１のインデックス及び少なくとも一つの第２のインデックスをグランド面上方、またはグランド面下方から見ることを支援するために、各々のタイルの間に所定量の空間がある。
【手続補正１５】
【補正対象書類名】明細書
【補正対象項目名】００４７
【補正方法】変更
【補正の内容】
【００４７】
本発明の第２２の態様は、第２０の態様のグラフィカル・ユーザ・インタフェース装置であって、前記グラフィカル・ユーザ・インタフェース装置の視点は三次元的に変更可能である。
【手続補正１６】
【補正対象書類名】明細書
【補正対象項目名】００４８
【補正方法】変更
【補正の内容】
【００４８】
本発明の第２３の態様は、第２０の態様のグラフィカル・ユーザ・インタフェース装置であって、視角を変更できる。
【手続補正１７】
【補正対象書類名】明細書
【補正対象項目名】００４９
【補正方法】変更
【補正の内容】
【００４９】
本発明の第２４の態様は、第２０の態様のグラフィカル・ユーザ・インタフェース装置であって、前記少なくとも一つの第２のリンクをグランド面上方に、前記少なくとも一つの第１のリンクをグランド面下方に、再配置する転移機能をさらに備える。
【手続補正１８】
【補正対象書類名】明細書
【補正対象項目名】００５０
【補正方法】変更
【補正の内容】
【００５０】
本発明の第２５の態様は、第２０の態様のグラフィカル・ユーザ・インタフェース装置であって、前記少なくとも一つの第２のリンクをグランド面上方に再配置するスーパーインポーズ機能をさらに備える。
【手続補正１９】
【補正対象書類名】明細書
【補正対象項目名】００５１
【補正方法】変更
【補正の内容】
【００５１】
本発明の第２６の態様の三次元視覚化表現を生成するシステムは、表示手段と、データ・セットに基づいて表示手段に表示されたグランド面内のタイル・レイアウトを決定する、タイル・レイアウト決定手段と、高さ決定手段と、を備え、該高さ決定手段は、前記タイル・レイアウトにおける少なくとも一つのタイルに対して第１のリンクを定義し、前記タイル・レイアウトにおける少なくとも一つのタイルに対して第２のリンクを定義し、定義された前記第１のリンク各々に対して、該第１のリンクのグランド面上方の距離を決定し、定義された前記第２のリンク各々に対して、該第２のリンクのグランド面下方の距離を決定する。
【手続補正２０】
【補正対象書類名】明細書
【補正対象項目名】００５３
【補正方法】変更
【補正の内容】
【００５３】
本発明の第２７の態様は、第２６の態様の三次元視覚化表現を生成するシステムであって、定義された前記第１のリンク各々に対して、該第１のリンクのサイズを決定する、サイズ決定手段（回路、ルーチンまたはアプリケーション）をさらに備える。
【手続補正２１】
【補正対象書類名】明細書
【補正対象項目名】００５４
【補正方法】変更
【補正の内容】
【００５４】
本発明の第２８の態様は、第２７の態様の三次元視覚化表現を生成するシステムであって、前記サイズ決定手段は、定義された前記第２のリンク各々に対して、該第２のリンクのサイズを決定する。
【手続補正２２】
【補正対象書類名】明細書
【補正対象項目名】００５５
【補正方法】変更
【補正の内容】
【００５５】
本発明の第２９の態様は、第２６の態様の三次元視覚化表現を生成するシステムであって、定義された前記第１のリンク各々に対して、該第１のリンクの一つの色、または複数の色を決定する色決定手段（回路、ルーチンまたはアプリケーション）をさらに備える。
【手続補正２３】
【補正対象書類名】明細書
【補正対象項目名】００５６
【補正方法】変更
【補正の内容】
【００５６】
本発明の第３０の態様は、第２９の態様の三次元視覚化表現を生成するシステムであって、前記色決定手段は、定義された前記第２のリンク各々に対して、該第２のリンクの一つの色、または複数の色を決定する。
【手続補正２４】
【補正対象書類名】明細書
【補正対象項目名】００５７
【補正方法】変更
【補正の内容】
【００５７】
本発明の第３１の態様は、第２６の態様の三次元視覚化表現を生成するシステムであって、定義された前記第１のリンク各々に対して、該第１のリンクの明るさを決定する明るさ決定手段（回路、ルーチンまたはアプリケーション）をさらに備える。
【手続補正２５】
【補正対象書類名】明細書
【補正対象項目名】００５８
【補正方法】変更
【補正の内容】
【００５８】
本発明の第３２の態様は、第３１の態様の三次元視覚化表現を生成するシステムであって、前記明るさ決定手段は、定義された前記第２のリンク各々に対して、該第２のリンク
の明るさを決定する。
【手続補正２６】
【補正対象書類名】明細書
【補正対象項目名】００５９
【補正方法】変更
【補正の内容】
【００５９】
本発明の第３３の態様は、第２６の態様の三次元視覚化表現を生成するシステムであって、前記タイルの中からマークされるべきタイルを前記データ・セットに基づいて決定し、マークされるべきタイルをマークする、タイル・マーキング手段（回路、ルーチンまたはアプリケーション）をさらに備える。
【手続補正２７】
【補正対象書類名】明細書
【補正対象項目名】００６０
【補正方法】変更
【補正の内容】
【００６０】
本発明の第３４の態様は、第２６の態様の三次元視覚化表現を生成するシステムであって、複数の定義された第１のリンクを通るパスが定義されているかどうかを前記データ・セットに基づいて決定し、該複数の定義された第１のリンクを通るパスを表示する、パス決定手段（回路、ルーチンまたはアプリケーション）をさらに備える。
【手続補正２８】
【補正対象書類名】明細書
【補正対象項目名】００６１
【補正方法】変更
【補正の内容】
【００６１】
本発明の第３５の態様は、第３４の態様の三次元視覚化表現を生成するシステムであって、前記パス決定手段は、複数の定義された第２のリンクを通るパスが定義されているかどうかを前記データ・セットに基づいて決定し、該複数の定義された第２のリンクを通るパスを表示する。
【手続補正２９】
【補正対象書類名】明細書
【補正対象項目名】００６２
【補正方法】変更
【補正の内容】
【００６２】
本発明の第３６の態様は、第２６の態様の三次元視覚化表現を生成するシステムであって、複数の定義された第２のリンクを通るパスが定義されているかどうかを前記データ・セットに基づいて決定し、該複数の定義された第２のリンクを通るパスを表示するパス決定手段（回路、ルーチンまたはアプリケーション）をさらに備える。
【手続補正３０】
【補正対象書類名】明細書
【補正対象項目名】００６３
【補正方法】変更
【補正の内容】
【００６３】
本発明の第３７の態様は、第２６の態様の三次元視覚化表現を生成するシステムであって、現行のデータ・セットと新しいデータ・セットとを比較し、前記新しいデータ・セットと現行のデータ・セットとの間の違いを決定する、データ・セット比較手段（回路、ルーチンまたはアプリケーション）をさらに備える。
【手続補正３１】
【補正対象書類名】明細書
【補正対象項目名】００６４
【補正方法】変更
【補正の内容】
【００６４】
本発明の第３８の態様の三次元視覚化表現を生成するプログラムは、視覚化されるデータ・セットを入力するステップと、前記データ・セットに基づいて、グランド面内に複数のタイルを定義するステップと、前記タイルの少なくとも一つに対して、該タイルに関連する第１のリンクを定義するステップと、前記タイルの少なくとも一つに対して、該タイルに関連する第２のリンクを定義するステップと、を、情報処理装置に実行させる、プログラムであって、定義された前記第１のリンク各々がグランド面上方に表示され、定義された前記第２のリンク各々がグランド面下方に表示される。